(57)【要約】【課題】  自機で出したメールに対する返信メールの本文の内容に、自機で出したメールの本文の内容が含まれていなくても、自機で出した本文の内容が表示できる携帯電話機を提供する。【解決手段】  メール送信時に自機で付した識別子が付されている返信メールを受信し、受信した返信メールに付されていたその識別子に基づいて、自機で記憶しているメールを検索する。その識別子が付されているメールがあった場合には、そのメールの本文を読み出し、受信した返信メールの本文とともに表示する。【選択図】図４
2007164717.tif 000002
【特許請求の範囲】
【請求項１】
自機で送信した送信メールを記憶する記憶手段と、
前記送信メールを特定する特定情報を含むメールを受信する受信手段と、
前記受信手段で受信したメールの前記特定情報に基づいて、前記記憶手段に記憶されている送信メールを特定する特定手段と、
前記受信手段で受信したメールの本文を表示する際に、前記特定手段で特定された送信メールの本文を共に表示する表示手段とを備える
ことを特徴とする携帯電話機。
【請求項２】
前記携帯電話機は更に、
送信メールを送信する際に、前記特定情報として各送信メールに固有の識別子を付して送信する送信手段を備え、
前記記憶手段は、各送信メールと夫々の固有の識別子とを対応付けて記憶し、
前記受信手段は、自機で付した識別子と同一の識別子が付されたメールを受信し、
前記特定手段は、前記メールに付された識別子に対応する送信メールを特定する
ことを特徴とする請求項１記載の携帯電話機。
【請求項３】
前記識別子は、送信メールのヘッダ部分に付されたMessage-IDであり、少なくとも送信メールを送信する時刻に関する情報を含む
ことを特徴とする請求項２記載の携帯電話機。
【請求項４】
前記記憶手段は更に、
前記受信手段で受信した受信メールに付された受信メール識別子と、本文とを対応付けて記憶し、
前記送信手段は、自機で送信する送信メールが、前記受信メールに対する返信である場合に、当該受信メールに付されていた受信メール識別子を当該送信メールに付して送信し、
前記特定手段は更に、前記特定手段で特定された送信メールが前記受信メール識別子を含んでいた場合に、当該受信メール識別子に基づいて前記受信メールを特定し、
前記表示手段は更に、前記特定手段で特定された前記受信メールの本文を表示する
ことを特徴とする請求項２記載の携帯電話機。
【請求項５】
前記特定情報は、前記受信手段で受信したメールの送信元のメールアドレスであり、
前記特定手段は、前記アドレスの機器に対して自機で送信したメールのうち最遅時刻に送信したメールを特定する
ことを特徴とする請求項１記載の携帯電話機。
【請求項６】
携帯電話機において返信メールに対応する送信メールを表示する表示方法であって、
自機で送信した送信メールの情報を記憶する記憶ステップと、
メールを受信する受信ステップと、
受信したメールに基づいて、前記記憶ステップで記憶されている送信メールを特定する特定ステップと、
前記受信ステップで受信したメールの本文を表示する際に、前記特定ステップで特定された送信メールの本文を共に表示する表示ステップとを含む
ことを特徴とする表示方法。
【請求項７】
携帯電話機のコンピュータに返信メールに対応する送信メールを表示させるための処理手順を示した表示プログラムであって、前記処理手順は、
自機で送信した送信メールの情報を記憶する記憶ステップと、
メールを受信する受信ステップと、
受信したメールに基づいて、前記記憶ステップに記憶されている送信メールを特定する特定ステップと、
前記受信ステップで受信したメールの本文を表示する際に、前記特定ステップで特定された送信メールの本文を共に表示する表示ステップとを含む
ことを特徴とする表示プログラム。
【発明の詳細な説明】
【技術分野】
【０００１】
本発明は、メールに関し、特に引用返信の技術に関わる。
【背景技術】
【０００２】
パソコンなどのメールソフトで受信したメールに対して返信する場合に、メールの本文に受信したメールの本文をともに記載し、相手に対して何のメールに対する返信であるのかを明示することがある。これを一般的に引用返信といい、メーラで予め設定しておくことにより、受信したメールに対する返信メールを書く場合に、自動的に受信したメールの本文をメール本文の中に記述されている状態から返信を書くことができる。
【０００３】
引用返信を行う技術に関しては特許文献１に記されたものがあり、当該特許文献に記載された技術によれば、受信したメールのシグネチャを削除して本文のみを引用してメールを作成する技術が開示されている。
【特許文献１】特開２００１−１４２８０８号公報
【発明の開示】
【発明が解決しようとする課題】
【０００４】
しかし、この引用返信は携帯電話機の場合においては、本文の文字数が制限されている（例えば１万字以内）ため引用返信を用いると元のメールの本文の内容も含まれてしまうので文字数を圧迫する。よって、携帯電話機の場合、本文内に元のメールの内容を記述することは好ましくない。また、提供されているサービスによっては、メールのデータ容量によって通信費用を決定するものもあり、本文が長くなりデータ容量が増大する引用返信は、通信費用の増大を招くこともある。
【０００５】
そこで、本発明においては、そのメールが、あるメールに対する返信メールで、本文の内容に元となるメールの内容が記載されていなくともユーザに元となったメールの内容を提示することができる携帯電話機を提供することを目的とする。
【課題を解決するための手段】
【０００６】
上記課題を解決するため、本発明に係る携帯電話機は、自機で送信した送信メールを記憶する記憶手段と、前記送信メールを特定する特定情報を含むメールを受信する受信手段と、前記受信手段で受信したメールの前記特定情報に基づいて、前記記憶手段に記憶されている送信メールを特定する特定手段と、前記受信手段で受信したメールの本文を表示する際に、前記特定手段で特定された送信メールの本文を共に表示する表示手段とを備えるを備えることを特徴としている。
【発明の効果】
【０００７】
この構成を備えることにより、携帯電話機は自機に記憶している送信したメールの中から、受信した返信メールのデータ、例えばアドレスやサブジェクトなどに基づいて、受信したメールと関連性がある送信メールを読み出して、受信したメールと共に表示することができる。
こうすることで、受信した返信メールの本文に、元のメールの内容が記述されていなくとも携帯電話機は、元のメールの内容を知り、どういった内容のメールに対しての返信であるかをユーザに知らせることができる。
【０００８】
また、返信メールの本文には元のメールの本文が引用されていないため、データ容量がその分だけ多くなることもなく、通信費用が高くなることもなくなる。
また、本発明に係る携帯電話機は更に、送信メールを送信する際に、前記特定情報として各送信メールに固有の識別子を付して送信する送信手段を備え、前記記憶手段は、各送信メールと夫々の固有の識別子とを対応付けて記憶し、前記受信手段は、自機で付した識別子と同一の識別子が付されたメールを受信し、前記特定手段は、前記メールに付された識別子に対応する送信メールを特定することとしてよい。
【０００９】
この構成を備えることにより、自機が送信する送信メールには識別子を付し、そして返信メールにはこの識別子が付されているので、どの送信メールに対する返信であるかを容易に特定でき、正しく、対応付けて受信メールとともに表示できるようになる。
また、本発明に係る携帯電話機において、前記識別子は、送信メールのヘッダ部分に付されたMessage-IDであり、少なくとも送信メールを送信する時刻に関する情報を含むこととしてよい。
【００１０】
この構成を備えることにより、携帯電話機は、自機が送信したメールのMessage-ID（Message-IDentifier）を用いての送信メールの特定が可能となる。従来においても、メールソフトはMessage-IDを付して送信することがあり、本発明は、Message-IDを応用して実現することができ、開発コスト及び開発時間の低減を促すことができる。
また、本発明に係る携帯電話機において、前記記憶手段は更に、前記受信手段で受信した受信メールに付された受信メール識別子と、本文とを対応付けて記憶し、前記送信手段は、自機で送信する送信メールが前記受信メールに対する返信である場合に、当該受信メールに付されていた受信メール識別子を当該送信メールに付して送信し、前記特定手段は更に、前記特定手段で特定された送信メールが、前記受信メール識別子を含んでいた場合に、当該受信メール識別子に基づいて前記受信メールを特定し、前記表示手段は更に、前記特定手段で特定された前記受信メールの本文を表示することとしてよい。
【００１１】
この構成を備えることにより、携帯電話機は、通信相手との間で、メールに対する返信メール、返信メールに対する返信メールというように何往復かしたメールに関しても、順次識別子を１個１個辿っていくことで、過去のメールの内容を確認することができる。
ユーザが過去のメールの内容を忘れてしまったときなどにおいても、過去のメールの内容を表示するので、ユーザはその内容を思い出すことができる。
【００１２】
また、本発明に係る携帯電話機において、前記特定情報は、前記受信手段で受信したメールの送信元のメールアドレスであり、前記特定手段は、前記アドレスの機器に対して自機で送信したメールのうち最遅時刻に送信したメールを特定することとしてよい。
この構成を備えることにより、受信したメールの相手のアドレスと自機で送信したメールのうち日付に基づいて元となったメールを検索することできるようになる。この場合、Message-IDを用いる場合よりも不確実、即ち、受信したメールが自機で送信したメールに対する返信メールを特定するのに確実に一度で特定できない可能性はあるものの、Message-IDを用いた場合よりもMessage-IDが付されるヘッダのデータ容量を少なくすることが可能になる。
【００１３】
また、携帯電話機において返信メールに対応する送信メールを表示する表示方法であって、自機で送信した送信メールの情報を記憶する記憶ステップと、メールを受信する受信ステップと、受信したメールに基づいて、前記記憶ステップで記憶されている送信メールを特定する特定ステップと、前記受信ステップで受信したメールの本文を表示する際に、前記特定ステップで特定された送信メールの本文を共に表示する表示ステップとを含むこととしてよい。
【００１４】
あるいは、携帯電話機のコンピュータに返信メールに対応する送信メールを表示させるための処理手順を示した表示プログラムであって、前記処理手順は、自機で送信した送信メールの情報を記憶する記憶ステップと、メールを受信する受信ステップと、受信したメールに基づいて、前記記憶ステップに記憶されている送信メールを特定する特定ステップと、前記受信ステップで受信したメールの本文を表示する際に、前記特定ステップで特定された送信メールの本文を共に表示する表示ステップとを含むこととしてよい。
【００１５】
上記方法を携帯電話機が実行、あるいはプログラムを携帯電話機のコンピュータが実行することにより、携帯電話機は、返信メールに対応する送信メールを受信した返信メールと共に表示することができるようになる。
【発明を実施するための最良の形態】
【００１６】
以下、本発明の携帯電話機について図面を用いながら説明する。
＜実施の形態１＞
＜構成＞
図１は、携帯電話機の機能構成を示したブロック図である。
図１に示すように携帯電話機１００は、通信部１１０、音声処理部１２０、表示部１３０、操作部１４０、記憶部１５０、制御部１６０を含んで構成される。
【００１７】
通信部１１０は、アンテナ１１１を含んで構成され、アンテナ１１１から受け取った受信信号を受話音声信号及び受信データ信号に復調し、復調した受話音声信号を音声処理部１２０に、受信データ信号を制御部１６０に出力する機能を有する。また、音声処理部１２０でＡ／Ｄ変換された送話音声信号、及び制御部１６０から与えられる電子メールなどの送信データ信号を変調し、アンテナ１１１から出力する機能を有する。
【００１８】
音声処理部１２０は、通信部１１０から出力された受話音声信号をＤ／Ａ変換してスピーカ１２２に出力すると共に、マイク１２１から取得した送話音声信号をＡ／Ｄ変換し、生成した信号を通信部２１０に出力する機能を有する。
表示部１３０は、ＬＣＤ（Liquid Crystal Display）などによって実現されるモニタで、制御部１６０の指示による画像を表示する機能を有し、待受け画面やメールの文書などを表示したりする。本発明においては特に返信メールを受信した場合に受信した返信メールの本文と共に、その返信メールの元となるメールの本文の内容を共に画面に表示する機能を有する。
【００１９】
操作部１４０は、テンキー、オンフックキー、オフフックキー、方向キー、決定キーなどの諸キー群を含み、ユーザの操作を受け付け、受け付けた操作内容を制御部１６０に伝達する機能を有する。
記憶部１５０は、ＲＯＭ（Read Only Memory）、ＲＡＭ（Random Access Memory）を含んで構成され、小型ハードディスクや不揮発性メモリなどによって実現され、携帯電話機１００が動作上必要とする各種プログラム、各種データなどを記憶する機能を有する。記憶部１５０は、送信したメールのデータと本文を格納する送信フォルダ１５１と、受信した返信メールのデータと本文を格納する受信メールフォルダ１５２とのメモリ領域を有する。
【００２０】
制御部１６０は、携帯電話機１００の各部を制御する機能を有する。本発明においては特に、返信メールを受信したときに、その返信メールのヘッダ情報に含まれるIn-Reply-toに記述されているメッセージＩＤを読み出して、そのメッセージＩＤを有するメールを送信メールフォルダ１５１もしくは受信メールフォルダ１５２から検索し、検索して得られたメールの本文の内容を受信した返信メールの本文と共に表示部１３０に表示させる機能を有する。
＜データ＞
ここでは、携帯電話機１００が送信するメールのデータ及び受信する返信メールのデータと、返信メールを受信した際の表示例について説明する。
【００２１】
まず、図２には、携帯電話機１００が送受信するメールのデータの一例を示した。図２（ａ）は、自機で送信したメール２００のデータ例を示しており、図２（ｂ）は、送信メール２００に対する返信であるメール２１０のデータ例を示している。メール２００は送信メールフォルダ１５１に、メール２１０は受信メールフォルダ１５２に夫々格納されている。
【００２２】
図２（ａ）に示すように、メール２００のヘッダには、宛先アドレス欄２０１と、サブジェクト欄２０２と、Message-ID欄２０３とが含まれている。
宛先アドレス欄２０１には、送信相手を特定するメールアドレスが記述されている。ここでは、“taro_nemoto@abcd.ne.jp”となっている。
サブジェクト欄２０２には、そのメールの要件が簡潔に記述されることが多く、自機のユーザによって入力された内容である。ここでは、“来週の大阪の天気は？”となっている。
【００２３】
Message-ID欄２０３には、そのメールを特定するためのユニークな識別子であるMessage-IDが記述されている。Message-IDは、自機によってメールに付される識別子で、ここでは送信した日時及びユーザ名で構成される。ここでは、“200511071825@hanako_kosaka”になっている。
また、メール２００のヘッダと共に本文も送信メールフォルダ１５１に格納されている。ここでは、メール２００の本文は、“こんにちは、元気にしてるの？ちょっと聞きたいのだけれど来週の大阪の天気はどうなるかな？”となっている。
【００２４】
図２（ｂ）に示すように、メール２１０のヘッダには、送信者アドレス欄２１１と、サブジェクト欄２１２と、Message-ID欄２１３と、In-Reply-to欄２１４とが含まれている。
送信者アドレス欄２１１には、メール２１０を送信してきた相手のメールアドレスが記載されている。ここでは、“taro_nemoto@abcd.ne.jp”になっている。
【００２５】
サブジェクト欄２１２には、メール２１０のサブジェクトが記載され、ここでは“Re:来週の大阪の天気は？”になっている。
Message-ID欄２１３には、メール２１０のメッセージＩＤが記載され、ここでは“200511071917@taro_nemoto”になっている。
In-Reply-To欄２１４には、メール２１０が別のメールに対する返信であることを示すメッセージＩＤが記載されている。メール２１０はメール２００に対する返信であるのでここでは、メール２００のメッセージＩＤである“200511071825@hanako_kosaka”が記載されている。
【００２６】
そして図３には、本発明の発明に従ってメール２１０を受信した際における携帯電話機のディスプレイでの表示例を示した。
図３に示すように、上部のヘッダ３１０には送信時間３０１、メール送信者３０２、サブジェクト３０３が表示されている。送信時間３０１は、メール２１０が送信された時間で、図２においては図示しなかったがヘッダの情報に含まれている。メール送信者３０２は、送信者アドレス欄２１１に基づいて自機のアドレス帳（図示せず）に記されている名前が記される。メール送信者３０２には、アドレス帳に登録されていない場合に、メールアドレスそのものが記載される。サブジェクト３０３は、サブジェクト欄２１２に記載されている内容である。
【００２７】
そしてその下に受信メール本文領域３０４に受信したメールの本文を表示する。またそれと共に、受信したメールのヘッダに記述されていた元のMessage-IDを示すIn-Reply-toを参照して読み出された過去のメールの本文が過去メール本文領域３０５に表示される。過去のメールの本文に関しては、それが返信されてきたメールの元となったメールであることを示す記号として“＞”が本文の先頭に付されている。
＜動作＞
次に、本実施の形態の動作を図４に示すフローチャートを用いて説明する。
【００２８】
携帯電話機１００は、アンテナ１１１を介して受信部１１０でメールを受信する（ステップＳ４０１）。受信部１１０からメールを受けとった制御部１６０は、そのメールが返信メールであるかどうかを、メールのヘッダにIn-Reply-toがあるかどうかに基づいて検出する（ステップＳ４０３）。
受信したメールが返信メールでなかった場合、即ち受信したメールのヘッダにIn-Reply-Toがなかった場合（ステップＳ４０３のＮＯ）には、通常通り受信したメールの送信時刻やサブジェクトなどのヘッダ情報の一部と共に本文を表示する（ステップＳ４０９）。そしてユーザのメール閲覧処理の終了手続により終了する。
【００２９】
受信したメールが返信メールであった場合、即ち受信したメールのヘッダにIn-Reply-Toがあった場合（ステップＳ４０３のＹＥＳ）には、制御部１６０は、次にそのメールがどのメールに対してなされた返信であるかを特定する。具体的には、In-Reply-toに示されるメッセージＩＤに基づいて、当該メッセージＩＤをそのヘッダのMessage-ID領域に付されているメールを検索する（ステップＳ４０５）。
【００３０】
受信したメールのIn-Reply-Toに対応するMessage-IDを有するメールがユーザによって削除されたりしてなかった場合（ステップＳ４０５のＮＯ）には、通常のメールと同様に、受信したメールの送信時刻やサブジェクトなどのヘッダ情報の一部と共に本文を表示する（ステップＳ４０９）。
In-Reply-Toに対応するMessage-IDを有するメールを検出できた場合（ステップＳ４０５のＹＥＳ）には、そのメールの本文を読み出し、受信したメールの本文と共に表示する（ステップＳ４０７）。そしてユーザのメール閲覧処理の終了手続により終了する。
＜実施の形態２＞
続いて本発明に係る携帯電話機の実施の形態２について図面を用いながら説明する。
【００３１】
実施の形態２においては、メールに対する返信、更にその返信と数往復した場合において過去にやり取りしたメールの本文を順次、メッセージＩＤを辿って表示できることを示す。携帯電話機の機能構成に関しては、実施の形態１と変わらないため実施の形態１に示した携帯電話機１００に準拠するものとし、具体的なデータ例を用いて実施の形態２を説明する。
＜データ＞
ここでは、携帯電話機１００がやり取りしたことによって記憶部１５０に蓄積された具体的なデータ例を示す。
【００３２】
図５には、図２に示したメールの後に更にやり取りがなされたメールのデータを示した。
図５（ａ）は、図２（ｂ）で示したメール２１０に対して自機で返信したメール５００で、図５（ｂ）は、図５（ａ）で示したメール５００に対してなされた返信のメール５１０である。
【００３３】
メール５００及びメール５１０の内容は、夫々図５（ａ）及び（ｂ）に示す通りである。
メール５００のMessage-IDは、“200511072120@hanako_kosaka”であり、In-Reply-Toは、“200511071917@taro_nemoto”となっている。
また、メール５１０のMessage-IDは、“2005110800927@taro_nemoto”であり、In-Reply-Toは、“200511072120@hanako_kosaka”となっている。
＜動作＞
図２及び図５に示したメールデータ、及び、図６のタイミングチャートと、図７の表示例と、図８のフローチャートとを用いて、実施の形態２に係る携帯電話機１００の動作を説明する。
【００３４】
まず、図６に示したタイミングチャートは、携帯電話機１００とその通信相手の携帯電話機６００との間でなされたメールのやり取りの経緯を分かりやすく解説するためのものである。このやり取りの結果によって記憶部１５０に格納されているデータが図２（ａ）、（ｂ）及び図５（ａ）、（ｂ）で示したメールになる。
図６に示すように、まず、携帯電話機１００からメール６０１が携帯電話機６００に送信される（ステップＳ６１１）。メール６０１を見た携帯電話機６００のユーザは、メール６０１に対する返事を記述し、携帯電話機６００は、メール６０３を送信する（ステップＳ６１３）。
【００３５】
メール６０３を見た携帯電話機１００のユーザは、メール６０３に対する返信メール６０５をしたため、携帯電話機１００から携帯電話機６００に送信する（ステップＳ６１５）。
メール６０５を見た携帯電話機６００のユーザは、メール６０５に対する返信メール６０７をしたため、携帯電話機６００から携帯電話機１００に送信する（ステップＳ６１７）。
【００３６】
ここでメール６０１、６０３、６０５、６０７は夫々、メール２００、２１０、５００、５１０と略同一のものである。
以上が図２（ａ）、（ｂ）及び図５（ａ）、（ｂ）に示したメールデータが記憶部１５０に蓄積された経緯である。
そしてメール５１０を受信した場合の表示例が図７（ａ）に示されている。この表示に関しては実施の形態１の場合と同様で、メール５１０の本文が受信メール本文領域７０１に、そしてメール５１０のIn-Reply-Toを参照して検索されたメール５００の本文が過去メール本文領域７０２に表示されている。本実施の形態２においては、ここから更に、ユーザが過去のメールの閲覧を希望した場合のものであり、その表示例が図７（ｂ）に示されている。
【００３７】
図７（ｂ）に示すように、受信メール本文領域７０３には、まだ、メール５１０の本文が表示されている。一方、過去メール表示領域７０４には、メール５００の返信元となったメール２１０の本文が表示される。そしてメール２１０の本文の先頭には、当該本文の内容がメール５１０の２つ過去のメールであることを示すために“＞＞”が表示される。
次に図８に示したフローチャートを用いて、図６に示したようなメールのやり取りがあった場合で、自機で返信メールを受信した際に過去のメールを順次表示する手順を示す。
【００３８】
携帯電話機１００が返信メールを受信して表示している状態からの動作の説明を行う。
まず携帯電話機１００は、ユーザから、更に過去のメールの表示要求があるか否かを見ている（ステップＳ８０１）。表示要求がない場合には（ステップＳ８０１のＮＯ）、ステップＳ８０１に戻りユーザからの入力があるまで待機する。
ユーザからの過去メールの表示があった場合（ステップＳ８０１のＹＥＳ）には、次に制御部１６０は、過去メール本文領域に表示しているメールのヘッダにIn-Reply-Toがあるかどうかを検出する（ステップＳ８０３）。
【００３９】
In-Reply-Toがあった場合（ステップＳ８０３）には、そのIn-Reply-Toに記載されているメッセージＩＤが記載されているMessage-ID欄を有するメールが自機の記憶部１５０に記憶されているかどうかを検索する（ステップＳ８０５）。
In-Reply-Toに対応するメールがあった場合（ステップＳ８０５）には、そのメールの本文を読み出して過去メール表示領域に表示する。
【００４０】
表示している過去メールにIn-Reply-Toがなかった場合（ステップＳ８０３のＮＯ）や、In-Reply-Toに対応するメールがなかった場合（ステップＳ８０５のＮＯ）には、“過去のメールはありません”とエラーメッセージを表示する（ステップＳ８０９）。
そしてユーザからのメール表示を終了する入力がなされたかどうかをみる（ステップＳ８１１）。終了する入力がなされていないならば（ステップＳ８１１のＮＯ）、ステップＳ８０１に戻って以降の処理を実行する。終了入力がなされたら（ステップＳ８１１のＹＥＳ）、メールの表示を終了する。
【００４１】
以上が実施の形態２における携帯電話機１００の動作である。
なお、過去メールの閲覧要求の入力は、返信メール閲覧時に簡単に方向キーの左キーの押下によって実現できる構成にする。これは、返信メール閲覧時にメニュー呼び出しで呼び出されるメニューの項目の中に、“過去メール閲覧”のコマンドがあり、それを選択することによってなされても良い。
＜補足＞
上記実施の形態に基づいて本発明に係る携帯電話機について説明してきたが、本発明はこれに限定されるものではない。以下にその変形例について説明して行く。
（１）上記実施の形態においては、本発明を携帯電話機として説明してきたが、メールの送受信機能を有する携帯端末であるならばなんでもよく、例えば、メール機能を備えたＰＤＡ（Personal Digital Assistance）などであってもよい。
（２）上記実施の形態においては、In-Reply-toに記述されているメッセージIDを用いて返信元のメールの特定を行ったが、これはメッセージIDでなくともよい。
【００４２】
例えば、返信メールを送信してきた通信相手のメールアドレスを元に、自機が記憶しているメールの中から当該メールアドレスと関連性があるものを絞り込み、その中で受信した日付の新しいものから順に表示していくという構成にしてもよい。
あるいは、受信した返信メールのサブジェクト名に同一の内容が含まれるサブジェクト名を含むメールがないかを検索し、日付の新しいものから順次表示するという構成にしてもよい。
【００４３】
メッセージＩＤのように１つのメールを特定はできないため、メッセージＩＤに比して精度はおちるものの、これらの構成によっても本発明の目的は達成できる。
また、自機のメール機能によりメッセージＩＤとは異なるユニークな識別子を生成して、生成した識別子を付してメールを送信する形態にしてもよい。
（３）上記実施の形態において、Message-IDをメールの送信日時とドメイン名を組み合わせたものとして記述したが、これはこの組み合わせに限定するものではなく、また、自機となんら関係のない情報であってもよい。Message-IDはただ単に、各送信メールを区別できるものであればよく、送信メールを特定できる範囲内においておよそ唯一のものであればよい。
【００４４】
例えば、ユーザの名前や、携帯電話機に付されている型番などを用いても良いし、更にユーザが自分の名前を知られたくないならば、作成した文字列に所定の変換プログラムを用いて変換をかけて生成された文字列などを含んでもよい。
（４）本発明は、上記実施の形態に示した手順により示される方法であってもよい。また、上記処理手順をコンピュータに実行させるコンピュータプログラムであってもよい。
【産業上の利用可能性】
【００４５】
本発明は、返信メールの本文内に元のメールの本文の内容が記載されていなくとも元のメールの内容を知ることができる携帯電話機として活用することができる。
【図面の簡単な説明】
【００４６】
【図１】本発明に係る携帯電話機の機能構成を示したブロック図である。
【図２】本発明に係る携帯電話機がメールのデータ形式を示したデータ図である。図２（ａ）は、送信メールのデータ形式を示した図である。図２（ｂ）は、受信する返信メールのデータ形式を示した図である。
【図３】本発明に係る携帯電話機が受信した返信メールの表示例を示した図である。
【図４】本発明に係る携帯電話機が返信メールを受信して、共に元のメールを表示するまでの動作を示したフローチャートである。
【図５】実施の形態２に係る携帯電話機が記憶しているメールの内容を示した図である。図５（ａ）は自機で送信したメールを示し、図５（ｂ）は、図５（ａ）のメールに対する返信である。
【図６】図２及び図５に示したメールのやり取りの経緯を示したタイミングチャートである。
【図７】実施の形態２における過去のメールの表示例を示した図である。
【図８】実施の形態２に係る過去のメールを読み出す処理を示したフローチャートである。
【符号の説明】
【００４７】
１００  携帯電話機
１１０  通信部
１１１  アンテナ
１２０  音声処理部
１２１  マイク
１２２  スピーカ
１３０  表示部
１４０  操作部
１５０  記憶部
１５１  送信メールフォルダ
１５２  受信メールフォルダ
１６０  制御部
【図１】
2007164717.tif 000003
【図２】
2007164717.tif 000004
【図３】
2007164717.tif 000005
【図４】
2007164717.tif 000006
【図５】
2007164717.tif 000007
【図６】
2007164717.tif 000008
【図７】
2007164717.tif 000009
【図８】
2007164717.tif 000010